(57)【要約】【課題】ズボンの使用者が座位姿勢となった場合であっても、ベルト部がずれるのを防止できるとともに腹部への圧迫感を抑制できる、デザイン性に優れたズボンを提供する。【解決手段】ズボン１は、使用者Ｕの下腹部を覆う前身頃３１と、使用者Ｕの臀部を覆う後身頃３６と、前身頃３１および後身頃３６よりも上方において環状に形成され、使用者Ｕの腰部に配置されるベルト部５と、を備えている。ベルト部５は、脇中央部よりも後方に位置する非伸縮性の第一ベルト部５１と、大部分が脇中央部よりも前方に位置し、使用者Ｕの幅方向に沿う第一方向Ｗに伸縮可能な伸縮性の第二ベルト部５２と、第一ベルト部５１と第二ベルト部５２とが接続された一対の接続部５６Ａ，５６Ｂと、を有する。【選択図】図１
0003212120.tif 000002
【実用新案登録請求の範囲】
【請求項１】
少なくとも使用者の下腹部を覆う前身頃と、
少なくとも前記使用者の臀部を覆う後身頃と、
前記前身頃および前記後身頃よりも上方において環状に形成され、前記使用者の腰部に配置されるベルト部と、
を備え、
前記ベルト部は、
少なくとも脇中央部よりも後方に位置する非伸縮性の第一ベルト部と、
少なくとも脇中央部よりも前方に位置し、前記使用者の幅方向に沿う第一方向に伸縮可能な伸縮性の第二ベルト部と、
前記第一ベルト部と前記第二ベルト部とが接続された一対の接続部と、
を有する、
ことを特徴とするズボン。
【請求項２】
前記第一ベルト部は、表地の下地として非伸縮性の第一芯地を有し、
前記第二ベルト部は、前記表地の下地として伸縮性の第二芯地を有する、
ことを特徴とする請求項１に記載のズボン。
【請求項３】
前記後身頃と前記ベルト部との間には、前記第一方向に非伸縮性を有するとともに、前記使用者の正中線に沿う第二方向に伸縮性を有するヨーク部が設けられていることを特徴とする請求項１または２に記載のズボン。
【請求項４】
前記一対の接続部は、それぞれ前記ベルト部の脇中央部よりも後方に配置されていることを特徴とする請求項１から３のいずれか１項に記載のズボン。
【請求項５】
前記第二ベルト部の前記第一方向における中央部から、一方の前記脇中央部までの寸法をαとし、
前記第二ベルト部の前記第一方向における中央部から、一方の前記接続部までの寸法をβとしたとき、
０．７５≦β／α≦０．９０
を満足するように形成されていることを特徴とする請求項４に記載のズボン。
【請求項６】
前記接続部の対応した位置には、前記接続部に重なるようにベルトループが設けられていることを特徴とする請求項１から５のいずれか１項に記載のズボン。
【考案の詳細な説明】
【技術分野】
【０００１】
この考案は、ズボンに関する。
【背景技術】
【０００２】
従来、ズボンを装着した使用者の姿勢の変更や動作に応じて生じる違和感を改善するために、種々な提案されている。
例えば、特許文献１には、見た目がスリムであり、足を上げる等の動作が行いやすいズボンが開示されている。
【０００３】
ところで、ズボンの使用者における動作のうち、例えば膝を曲げてしゃがむ等の座位姿勢となった時に、ズボンのベルト部がずれて下着が見える等の不具合が生じることがある。また、ズボンの使用者が座位姿勢となった時に、使用者は腹部に圧迫感を感じることがある。
【０００４】
また、座位姿勢となった時のベルト部のずれや、腹部への圧迫感を抑制するために、例えばベルト部全体をゴム等で伸縮自在に形成することが考えられる。しかしながら、ベルト部全体に発生するしわ等により、ズボンのデザイン性が低下するおそれがある。
【先行技術文献】
【特許文献】
【０００５】
【特許文献１】特開２０１５−３４３７０号公報
【考案の概要】
【考案が解決しようとする課題】
【０００６】
そこで、本考案は、上記事情に鑑みたものであって、ズボンの使用者が座位姿勢となった場合であっても、ベルト部がずれるのを防止できるとともに腹部への圧迫感を抑制できる、デザイン性に優れたズボンを提供する。
【課題を解決するための手段】
【０００７】
上記の課題を解決するため、本考案のズボンは、少なくとも使用者の下腹部を覆う前身頃と、少なくとも前記使用者の臀部を覆う後身頃と、前記前身頃および前記後身頃よりも上方において環状に形成され、前記使用者の腰部に配置されるベルト部と、を備え、前記ベルト部は、少なくとも脇中央部よりも後方に位置する非伸縮性の第一ベルト部と、少なくとも脇中央部よりも前方に位置し、前記使用者の幅方向に沿う第一方向に伸縮可能な伸縮性の第二ベルト部と、前記第一ベルト部と前記第二ベルト部とが接続された一対の接続部と、を有する、ことを特徴としている。
【０００８】
この構成によれば、ベルト部は、脇中央部よりも後方に位置する非伸縮性の第一ベルト部を備えているので、ズボンの使用者の後方において、ズボンのウエスト位置の固定機能を高め、ずれを防止することができる。したがって、ズボンの使用者が例えば膝を曲げてしゃがむ等の座位姿勢となった場合であっても、ベルト部がずれるのを防止できる。
また、ベルト部は、脇中央部よりも前方に位置し、使用者の幅方向に沿う第一方向に伸縮可能な伸縮性の第二ベルト部を有しているので、例えば食後において使用者の腹部が膨張した状態や、座位姿勢となった場合等であっても、第二ベルト部が伸長することができる。したがって、使用者の腹部への圧迫感を抑制できる。
さらに、伸縮性の第二ベルト部は、脇中央部よりも前方に位置しているので、ベルト部全体がゴム等で伸縮自在に形成された従来のズボンのように、ベルト部全体にしわ等が発生することがない。したがって、デザイン性に優れたズボンとすることができる。
このように、本考案によれば、ズボンの使用者が座位姿勢となった場合であっても、ベルト部がずれるのを防止できるとともに腹部への圧迫感を抑制できる、デザイン性に優れたズボンを提供することができる。
【０００９】
また、前記第一ベルト部は、表地の下地として非伸縮性の第一芯地を有し、前記第二ベルト部は、前記表地の下地として伸縮性の第二芯地を有する、ことを特徴としている。
【００１０】
この構成によれば、第一ベルト部は、下地として非伸縮性の第一芯地を有し、第二ベルト部は、下地として伸縮性の第二芯地を有するので、表地の見た目に違和感を与えることなく非伸縮性の第一ベルト部と伸縮性の第二ベルト部とを設けることができる。したがって、デザイン性に優れたズボンを提供することができる。
【００１１】
また、前記後身頃と前記ベルト部との間には、前記第一方向に非伸縮性を有するとともに、前記使用者の正中線に沿う第二方向に伸縮性を有するヨーク部が設けられていることを特徴としている。
【００１２】
この構成によれば、後身頃とベルト部との間には、使用者の幅方向に沿う第一方向に非伸縮性を有するとともに、使用者の正中線に沿う第二方向に伸縮性を有するヨーク部が設けられているので、ズボンの使用者が座位姿勢となった場合であっても、ヨーク部が第二方向に伸長することができる。したがって、使用者のウエストに違和感を与えることなくベルト部がずれるのを防止できる。
【００１３】
また、前記一対の接続部は、それぞれ前記ベルト部の脇中央部よりも後方に配置されていることを特徴としている。
【００１４】
この構成によれば、一対の接続部は、それぞれベルト部の脇中央部よりも後方に配置されているので、使用者の後方に配置される非伸縮性の第一ベルト部よりも、使用者の前方に配置される伸縮性の第二ベルト部を長く確保することができる。これにより、ベルト部がずれるのを防止しつつ、使用者の腹部への圧迫感をさらに抑制できる。
【００１５】
また、前記第二ベルト部の前記第一方向における中央部から、一方の前記脇中央部までの寸法をαとし、前記第二ベルト部の前記第一方向における中央部から、一方の前記接続部までの寸法をβとしたとき、０．７５≦β／α≦０．９０を満足するように形成されていることを特徴としている。
【００１６】
この構成によれば、一方の脇中央部までの寸法αと、第二ベルト部の第一方向における中央部から一方の接続部までの寸法βとは、
０．７５≦β／α≦０．９０・・・（１）式
を満足するように形成されているので、使用者の後方に配置される非伸縮性の第一ベルト部よりも、使用者の前方に配置される伸縮性の第二ベルト部を長く確保することができる。これにより、ベルト部がずれるのを防止しつつ、使用者の腹部への圧迫感をさらに抑制できる。
【００１７】
また、前記接続部の対応した位置には、前記接続部に重なるようにベルトループが設けられていることを特徴としている。
【００１８】
この構成によれば、接続部に重なるようにベルトループが設けられているので、第一ベルト部と第二ベルト部との接続部が視認し難くなる。これにより、デザイン性を害することなく、使用者の後方に配置される非伸縮性の第一ベルト部と、使用者の前方に配置される伸縮性の第二ベルト部とを設けることができる。したがって、デザイン性に優れたズボンを提供することができる。
【考案の効果】
【００１９】
本考案によれば、ベルト部は、脇中央部よりも後方に位置する非伸縮性の第一ベルト部を備えているので、ズボンの使用者の後方において、ズボンのウエスト位置の固定機能を高め、ずれを防止することができる。したがって、ズボンの使用者が例えば膝を曲げてしゃがむ等の座位姿勢となった場合であっても、ベルト部がずれるのを防止できる。
また、ベルト部は、脇中央部よりも前方に位置し、使用者の幅方向に沿う第一方向に伸縮可能な伸縮性の第二ベルト部を有しているので、例えば食後において使用者の腹部が膨張した状態や、座位姿勢となった場合等であっても、第二ベルト部が伸長することができる。したがって、使用者の腹部への圧迫感を抑制できる。
さらに、伸縮性の第二ベルト部は、脇中央部よりも前方に位置しているので、ベルト部全体がゴム等で伸縮自在に形成された従来のズボンのように、ベルト部全体にしわ等が発生することがない。したがって、デザイン性に優れたズボンとすることができる。
このように、本考案によれば、ズボンの使用者が座位姿勢となった場合であっても、ベルト部がずれるのを防止できるとともに腹部への圧迫感を抑制できる、デザイン性に優れたズボンを提供することができる。
【図面の簡単な説明】
【００２０】
【図１】本考案の実施形態に係るズボンを後方から見たときの説明図である。
【図２】本考案の実施形態に係るズボンを左側方から見たときの説明図である。
【考案を実施するための形態】
【００２１】
以下、本考案の実施の形態について図面を参照しながら説明する。
図１は、本考案の実施形態に係るズボンを後方から見たときの説明図である。
図２は、本考案の実施形態に係るズボンを左側方から見たときの説明図である。
図１および図２では、ユーザーである使用者Ｕを二点鎖線で図示している。また、図１では、使用者Ｕの正中線Ｏを一点鎖線で図示している。また、以下の説明における前後上下左右は、使用者Ｕから見た前後上下左右と一致している。また、使用者Ｕの幅方向に沿う方向を第一方向Ｗとし、使用者Ｕの正中線Ｏに沿う方向を第二方向Ｈとしている。
【００２２】
図１および図２に示すように、本実施形態のズボン１は、いわゆるジーンズと呼ばれるものである。なお、以下に説明するズボン１がジーンズである場合は、本発明の実施形態の一例である。したがって、本発明が適用されるズボン１は、ジーンズに限定されない。
本実施形態のズボン１は、使用者Ｕの下半身に装着されるものであって、例えば全体がデニム生地等の表地１１により形成されている。
【００２３】
ズボン１は、身頃部３と、ベルト部５と、を備えている。
身頃部３は、前身頃３１と後身頃３６とを有している。
前身頃３１は、使用者Ｕの下腹部および脚部の前方を覆っている。前身頃３１の股上部３ａには、一対の脇ポケット３３Ａ，３３Ｂが設けられている。一対の脇ポケット３３Ａ，３３Ｂは、正中線Ｏに対して左右対称となるように設けられている。一対の脇ポケット３３Ａ，３３Ｂは、上方に開口を有する。
【００２４】
後身頃３６は、使用者Ｕの臀部および脚部の後方を覆っている。後身頃３６の股上部３ａには、一対の尻ポケット３８Ａ，３８Ｂが設けられている。一対の尻ポケット３８Ａ，３８Ｂは、正中線Ｏに対して左右対称となるように設けられている。一対の尻ポケット３８Ａ，３８Ｂは、上方に開口を有する。
【００２５】
前身頃３１と後身頃３６とは、股下、脇および臀部に対応した位置が縫い合わされて互いに結合されている。これにより、身頃部３の股下部３ｂは、使用者Ｕの脚部を挿通可能な筒状に形成される。
【００２６】
ベルト部５は、前身頃３１および後身頃３６よりも上方において環状に形成されている。ベルト部５は、使用者Ｕの腰部に配置される。
ベルト部５は、第一ベルト部５１と、第二ベルト部５２と、一対の接続部５６Ａ，５６Ｂと、一対のベルトループ５８Ａ，５８Ｂを有する。
【００２７】
第一ベルト部５１は、帯状に形成されており、非伸縮性を有している。第一ベルト部５１は、脇中央部よりも後方に位置している。第一ベルト部５１は、表地１１の下地として第一芯地５１ａを有している。第一芯地５１ａは非伸縮性であり、例えば絹や綿、化学繊維等を素材とするものである。
【００２８】
第一ベルト部５１は、非伸縮性を有することにより、ズボン１の使用者Ｕの後方において、ズボン１のウエスト位置の固定機能を高め、ずれを防止することができる。したがって、ズボン１の使用者Ｕが例えば膝を曲げてしゃがむ等の座位姿勢となった場合であっても、ベルト部５がずれるのを防止できる。
また、第一ベルト部５１は、使用者Ｕの背部に沿うように、緩やかに湾曲して下方に凸となるように形成されている。これにより、第一ベルト部５１は、使用者Ｕが座位姿勢となった場合であっても、ウエスト位置が下がることによる着衣の乱れや背部の露出を防止することができる。
【００２９】
第二ベルト部５２は、帯状に形成されており、伸縮性を有している。第二ベルト部５２は、大部分が脇中央部よりも前方に位置しているとともに、両端部が脇中央部よりも後方に位置している。すなわち、本実施形態において、伸縮部分は、脇中央部よりやや後方から前方に向けて位置している。第二ベルト部５２は、表地１１の下地として第二芯地５２ａを有している。第二芯地５２ａは伸縮性であり、例えば絹や綿、化学繊維等にゴムを編み込んだものを素材とするものである。
【００３０】
第二ベルト部５２は、伸縮性を有することにより、例えば食後において使用者Ｕの腹部が膨張した状態や、座位姿勢となった場合等であっても、使用者Ｕの腹部への圧迫感を抑制している。
また、第二ベルト部５２は、第一方向Ｗに沿って略直線となるように形成されている。これにより、第二ベルト部５２は、伸縮における形状変化を防止するとともに、復元性を高めることができる。
【００３１】
一対の接続部５６Ａ，５６Ｂは、それぞれ帯状の第一ベルト部５１および第二ベルト部５２の端部を第二方向Ｈに沿うように縫合して接続することで形成される。一対の接続部５６Ａ，５６Ｂは、正中線Ｏに対して左右対称となるように設けられている。
一対の接続部５６Ａ，５６Ｂのうち、左側の接続部５６Ａは、脇中央部よりも後方に配置されている。左側の接続部５６Ａは、左側の尻ポケット３８Ａよりも上方において、左側の尻ポケット３８Ａに対応した位置に配置されている。
一対の接続部５６Ａ，５６Ｂのうち、右側の接続部５６Ｂは、脇中央部よりも後方に配置されている。右側の接続部５６Ｂは、右側の尻ポケット３８Ｂよりも上方において、左側の尻ポケット３８Ａに対応した位置に配置されている。
【００３２】
一対のベルトループ５８Ａ，５８Ｂは、それぞれ一対の接続部５６Ａ，５６Ｂに重なるように、第二方向Ｈに沿うように設けられている。一対のベルトループ５８Ａ，５８Ｂは、それぞれ第一方向Ｗに開口しており、不図示の固定用ベルトが挿通可能となっている。一対の接続部５６Ａ，５６Ｂに重なるように一対のベルトループ５８Ａ，５８Ｂが設けられているので、第一ベルト部５１と第二ベルト部５２との接続部５６Ａ，５６Ｂが視認し難くなる。これにより、デザイン性を害することなく、使用者Ｕの後方に配置される非伸縮性の第一ベルト部５１と、使用者Ｕの前方に配置される伸縮性の第二ベルト部５２とを設けることができる。
【００３３】
ここで、第二ベルト部５２の第一方向Ｗにおける中央部から、ベルト部５における一方（図１の例では左方）の脇中央部までの寸法をαとし、第二ベルト部５２の第一方向Ｗにおける中央部から、ベルト部５における一方（図１の例では左方）の接続部５６Ａまでの寸法をβとしたとき、
０．７５≦β／α≦０．９０・・・（１）式
を満足するように形成されている。
すなわち、第二ベルト部５２の第一方向Ｗにおける中央部から接続部５６Ａ（接続部５６Ｂ）までの寸法βは、第二ベルト部５２の第一方向Ｗにおける中央部からベルト部５における脇中央部までの寸法αの７５％から９０％となるのが好ましく、８２％から８６％となるのがさらに好ましい。
【００３４】
これにより、接続部５６Ａおよび接続部５６Ｂは、脇中央部よりも後方に位置し、腹側部が伸縮可能となるため、座位時における腹側部の圧迫も緩和することが可能となる。なお、上記（１）式を満足しない程度に接続部５６Ａおよび接続部５６Ｂを後方に配置した場合には、腹側部から背部に接続部５６Ａおよび接続部５６Ｂが異動することとなるため、着用感やデザインバランスが低下する虞がある。また、伸縮性を有する第二ベルト部５２の領域が増加し、非伸縮性を有する第一ベルト部５１の領域が減少するため、座位時のウエスト位置固定機能が低下する虞がある。
【００３５】
また、後身頃３６とベルト部５との間には、ヨーク部７が設けられている。ヨーク部７は、第二方向Ｈに所定の幅を有し、第一方向Ｗに沿う帯状に形成されている。ヨーク部７は、一方の脇中央部と他方の脇中央部との間にわたって設けられている。ヨーク部７は、第一方向Ｗに非伸縮性を有するとともに、使用者Ｕの正中線Ｏに沿う第二方向Ｈに伸縮性を有する。これにより、ヨーク部７は、ズボン１の使用者Ｕが座位姿勢となった場合であっても、第二方向Ｈに伸長することができるので、なお一層座位時のウエスト位置の下がり防止機能を向上させることができる。
【００３６】
本実施形態によれば、ベルト部５は、脇中央部よりも後方に位置する非伸縮性の第一ベルト部５１を備えているので、ズボン１の使用者Ｕの後方において、ズボン１のウエスト位置の固定機能を高め、ずれを防止することができる。したがって、ズボン１の使用者Ｕが例えば膝を曲げてしゃがむ等の座位姿勢となった場合であっても、ベルト部５がずれるのを防止できる。
また、ベルト部５は、脇中央部よりも前方に位置し、使用者Ｕの幅方向に沿う第一方向Ｗに伸縮可能な伸縮性の第二ベルト部５２を有しているので、例えば食後において使用者Ｕの腹部が膨張した状態や、座位姿勢となった場合等であっても、第二ベルト部５２が伸長することができる。したがって、使用者Ｕの腹部への圧迫感を抑制できる。
さらに、伸縮性の第二ベルト部５２は、脇中央部よりも前方に位置しており、特に本実施形態においては、伸縮部分（すなわち伸縮性の第二ベルト部５２）は脇中央部よりやや後方から前方に向けて位置しているので、ベルト部５全体がゴム等で伸縮自在に形成された従来のズボンのように、ベルト部５全体にしわ等が発生することがない。したがって、デザイン性に優れたズボン１とすることができる。
このように、本実施形態によれば、ズボン１の使用者Ｕが座位姿勢となった場合であっても、ベルト部５がずれるのを防止できるとともに腹部への圧迫感を抑制できる、デザイン性に優れたズボン１を提供することができる。
【００３７】
また、第一ベルト部５１は、下地として非伸縮性の第一芯地５１ａを有し、第二ベルト部５２は、下地として伸縮性の第二芯地５２ａを有するので、表地１１の見た目に違和感を与えることなく非伸縮性の第一ベルト部５１と伸縮性の第二ベルト部５２とを設けることができる。したがって、デザイン性に優れたズボン１を提供することができる。
【００３８】
また、後身頃３６とベルト部５との間には、使用者Ｕの幅方向に沿う第一方向Ｗに非伸縮性を有するとともに、使用者Ｕの正中線Ｏに沿う第二方向Ｈに伸縮性を有するヨーク部７が設けられているので、ズボン１の使用者Ｕが座位姿勢となった場合であっても、ヨーク部７が第二方向Ｈに伸長することができる。したがって、使用者Ｕのウエストに違和感を与えることなくベルト部５がずれるのを防止できる。
【００３９】
また、一対の接続部５６Ａ，５６Ｂは、それぞれベルト部５の脇中央部よりも後方に配置されているので、使用者Ｕの後方に配置される非伸縮性の第一ベルト部５１よりも、使用者Ｕの前方に配置される伸縮性の第二ベルト部５２を長く確保することができる。これにより、ベルト部５がずれるのを防止しつつ、使用者Ｕの腹部への圧迫感をさらに抑制できる。
【００４０】
また、一方（本実施形態では左方）の脇中央部までの寸法αと、第二ベルト部５２の第一方向Ｗにおける中央部から一方（本実施形態では左方）の接続部５６Ａまでの寸法βとは、
０．７５≦β／α≦０．９０・・・（１）式
を満足するように形成されているので、使用者Ｕの後方に配置される非伸縮性の第一ベルト部５１よりも、使用者Ｕの前方に配置される伸縮性の第二ベルト部５２を長く確保することができる。これにより、ベルト部５がずれるのを防止しつつ、使用者Ｕの腹部への圧迫感をさらに抑制できる。
【００４１】
また、一対の接続部５６Ａ，５６Ｂに重なるように一対のベルトループ５８Ａ，５８Ｂが設けられているので、第一ベルト部５１と第二ベルト部５２との接続部５６Ａ，５６Ｂが視認し難くなる。これにより、デザイン性を害することなく、使用者Ｕの後方に配置される非伸縮性の第一ベルト部５１と、使用者Ｕの前方に配置される伸縮性の第二ベルト部５２とを設けることができる。したがって、デザイン性に優れたズボン１を提供することができる。
【００４２】
なお、本発明は、図面を参照して説明した上述の実施形態に限定されるものではなく、その技術的範囲において様々な変形例が考えられる。
【００４３】
上述の実施形態では、本発明にかかるズボン１として、いわゆるジーンズを例に説明をしたが、本考案の適用はジーンズに限定されない。したがって、本考案にかかるズボン１としては、例えばいわゆるスラックスやトレーニングパンツ、カーゴパンツ等であってもよい。
【００４４】
また、上述の実施形態では、いわゆる長ズボンとなっていたがズボン１の丈の長さは特に限定されない。したがって、いわゆる半ズボンや、７分丈ズボン等にも本考案を適用できる。
【００４５】
その他、本発明の趣旨を逸脱しない範囲で、上記した実施の形態における構成要素を周知の構成要素に置き換えることは適宜可能である。
【符号の説明】
【００４６】
１  ズボン
５  ベルト部
７  ヨーク部
３１  前身頃
３６  後身頃
５１  第一ベルト部
５１ａ  第一芯地
５２  第二ベルト部
５２ａ  第二芯地
５６Ａ  接続部
５６Ｂ  接続部
５８Ａ  ベルトループ
５８Ｂ  ベルトループ
Ｈ  第二方向
Ｏ  正中線
Ｕ  使用者
Ｗ  第一方向
【図１】
0003212120.tif 000003
【図２】
0003212120.tif 000004